(57)【要約】      （修正有）【課題】ＬＥＤモジュールの配設の省力化が図れるＬＥＤ照明器具を提供する。【解決手段】ＬＥＤ照明器具１は、ＬＥＤモジュール２と、長方形の底板部１０および一対の傾斜板部１１，１１を有する金属製の放熱板３と、一対の側板１２，１２が正対し一対の側板下部１２ｂ，１２ｂの少なくとも根元部１２ｄ，１２ｄの内面間が放熱板３の底板部１０の短幅よりも小さくなるように一対の側板１２，１２の長手方向の両端にそれぞれ設けられた一対の端板１３，１３を有し、一対の側板下部１２ｂ，１２ｂ間に放熱板３を配設している器具本体４と、造営物７に取付けられたシャーシ５と、シャーシ５に器具本体４を取付けている取付手段６を具備している。【選択図】図１
2011187315.tif 000002
【特許請求の範囲】
【請求項１】
発光ダイオードが一方の面側に実装された長形の基板を有するＬＥＤモジュールと；
前記基板の他方の面側が取付けられる長方形の底板部およびこの底板部の短幅方向の両端から前記基板を挟み互いに次第に拡開するように形成された一対の傾斜板部を有する金属製の放熱板と；
先端部に互いに向き合う突出部がそれぞれ設けられ、根元部から先端部が前記放熱板の一対の傾斜板部にそれぞれ沿う傾斜面に形成された一対の側板下部をそれぞれ有する一対の長形の側板と、この一対の側板が正対し一対の側板下部の少なくとも根元部の内面間が前記放熱板の底板部の短幅よりも小さくなるように一対の側板の長手方向の両端にそれぞれ設けられた一対の端板を有し、一対の側板下部間に前記ＬＥＤモジュールが取付けられた前記放熱板を配設している器具本体と；
造営物に取付けられたシャーシと；
このシャーシに器具本体を取付けている取付手段と；
を具備していることを特徴とするＬＥＤ照明器具。
【請求項２】
器具本体は、前記突出部および前記放熱板の傾斜板部の先端との間に透光性カバーが配設されていることを特徴とする請求項１記載のＬＥＤ照明器具。
【発明の詳細な説明】
【技術分野】
【０００１】
発光ダイオードを光源とし、その放射光を照明に利用する天井等の造営物に取付けられるＬＥＤ照明器具に関する。
【背景技術】
【０００２】
この種のＬＥＤ照明器具は、消費電力が低く、ランプ交換などの保守作業を半永久的に要しないなどの理由により、従来の蛍光灯照明器具の代替品として開発が進められ、普及しつつある。ＬＥＤ照明器具は、通常、複数個の発光ダイオードを基板に実装して形成されたＬＥＤモジュールが複数個筐体（器具本体）に直線状に配設されている。
【０００３】
そして、ＬＥＤモジュールは、筐体に固定されている（例えば特許文献１参照。）。この従来技術の照明装置は、発光ダイオードを収容する略直方体形状の筐体（照明ケース）の底面に、ＬＥＤ基板（ＬＥＤモジュール）を取り付けるためのＬＥＤ基板取付孔が複数個設けられていて、ＬＥＤ基板がビス等のＬＥＤ基板係止部材で取り付けられているものである。
【先行技術文献】
【特許文献】
【０００４】
【特許文献１】特開２００９−１８１８１３号公報（第５頁、第２図、第５図）
【発明の概要】
【発明が解決しようとする課題】
【０００５】
特許文献１の照明装置は、ＬＥＤ基板をビス等のＬＥＤ基板係止部材により筐体に取り付けるので、組立工数が増加し、省力化が図れにくいという欠点を有する。
【０００６】
本発明は、ＬＥＤモジュールの配設の省力化が図れるＬＥＤ照明器具を提供することを目的とする。
【課題を解決するための手段】
【０００７】
請求項１に記載のＬＥＤ照明器具の発明は、発光ダイオードが一方の面側に実装された長形の基板を有するＬＥＤモジュールと；前記基板の他方の面側が取付けられる長方形の底板部およびこの底板部の短幅方向の両端から前記基板を挟み互いに次第に拡開するように形成された一対の傾斜板部を有する金属製の放熱板と；先端部に互いに向き合う突出部がそれぞれ設けられ、根元部から先端部が前記放熱板の一対の傾斜板部にそれぞれ沿う傾斜面に形成された一対の側板下部をそれぞれ有する一対の長形の側板と、この一対の側板が正対し一対の側板下部の少なくとも根元部の内面間が前記放熱板の底板部の短幅よりも小さくなるように一対の側板の長手方向の両端にそれぞれ設けられた一対の端板を有し、一対の側板下部間に前記ＬＥＤモジュールが取付けられた前記放熱板を配設している器具本体と；造営物に取付けられたシャーシと；このシャーシに器具本体を取付けている取付手段と；を具備していることを特徴とする。
【０００８】
本発明および以下の発明において、特に言及しない限り、各構成は以下による。
【０００９】
「長形」とは、縦方向、横方向の大きさ（寸法）のうち、例えば横方向の大きさが大きいことを意味する。すなわち、基板は、一般的に、長方形に形成されるが、これに限らず、長方形から変形しているものも許容される。
【００１０】
放熱板は、熱伝導度率が大きいほどよく、例えばアルミニウム（Ａｌ）やニッケル（Ｎｉ）で形成することができる。
【００１１】
造営物は、例えば、天井や天井から吊り下げられあるいは壁等に支持されたボードである。
【００１２】
取付手段は、ネジ、バネ材、ラッチ金具など、器具本体をシャーシに固定するものであればよい。
【００１３】
発光ダイオードは、点灯装置により点灯される。点灯装置は、シャーシに配設されていてもよく、器具本体内に配設されていてもよく、シャーシおよび器具本体と別置され、例えば造営物に配設されていてもよい。
【００１４】
本発明によれば、放熱板の一対の側板下部の先端部側への移動は、放熱板の一対の傾斜板部が突出部に当接することにより規制される。また、放熱板の一対の側板下部の根元部側への移動は、一対の側板下部の少なくとも根元部の内面間が放熱板の底板部の短幅よりも小さいことにより、放熱板の底板部が一対の側板下部の内面に当接して規制される。そして、放熱板の一対の側板の長手方向への移動は、放熱板が一対の端板に当接することにより規制される。
【００１５】
請求項２に記載のＬＥＤ照明器具の発明は、請求項１記載のＬＥＤ照明器具の発明において、器具本体は、前記突出部および前記放熱板の傾斜板部の先端との間に透光性カバーが配設されていることを特徴とする。
【００１６】
本発明によれば、ＬＥＤモジュールが外部空間に露出しなくなり、器具本体をシャーシに取付けるときに、人が発光ダイオードに誤って触れることが防止される。
【発明の効果】
【００１７】
請求項１の発明によれば、ＬＥＤモジュールを取付けた放熱板は、一対の側板の一対の側板下部間での移動が規制されるので、放熱板をネジ等の取付け部材を用いて器具本体に固定する必要がなく、組立工数の低減および省力化を図ることができて、ＬＥＤ照明器具を安価にすることができる。
【００１８】
請求項２の発明によれば、透光性カバーは、一対の側板の突出部および放熱板の傾斜板部の先端との間に配設されるので、一対の側板下部間での移動が規制され、これにより、透光性カバーを器具本体に固定しなくすることができて、ＬＥＤ照明器具の組み立ての省力化を図ることができる。
【図面の簡単な説明】
【００１９】
【図１】本発明の実施例１を示すＬＥＤ照明器具の概略縦断面図。
【図２】同じく、取付手段による取付状態を示すＬＥＤ照明器具の一部拡大概略縦断面図。
【図３】同じく、ＬＥＤ照明器具を示し、（ａ）は概略正面図、（ｂ）は概略下面図。
【図４】同じく、端板を示し、（ａ）は概略背面図、（ｂ）は概略側面図。
【図５】同じく、ＬＥＤ照明器具の概略斜視図。
【発明を実施するための形態】
【００２０】
以下、本発明の一実施の形態について、図面を参照して説明する。
【００２１】
本発明において、放熱板は、長方形の底板部およびこの底板部の短幅方向の両端に形成された一対の傾斜板部を有し、底板部にＬＥＤモジュールが取付けられている。そして、器具本体は、先端部に互いに向き合う突出部および放熱板の一対の傾斜板部にそれぞれ沿う一対の側板下部を有する一対の長形の側板と、この一対の側板の長手方向にそれぞれ設けられ、一対の側板下部の少なくとも根元部の内面間が放熱板の底板部の短幅よりも小さくなるように一対の側板を正対させる一対の端板を備えていて、一対の側板下部間に放熱板を介してＬＥＤモジュールを配設している。
【００２２】
そして、放熱板の一対の側板下部の先端部側への移動は、一対の傾斜板部の先端が突出部に当接することにより規制され、一対の側板下部の根元部側への移動は、底板部が一対の側板下部の内面に当接することにより規制される。これにより、放熱板は、器具本体にネジ等の取付け部材により固定されることなく、一対の側板下部間に配設される。
【実施例１】
【００２３】
図１ないし図５は、本発明の実施例１を示し、図１はＬＥＤ照明器具の概略縦断面図、図２は取付手段による取付状態を示すＬＥＤ照明器具の一部拡大概略縦断面図、図３はＬＥＤ照明器具を示し、（ａ）は概略正面図、（ｂ）は概略下面図、図４は端板を示し、（ａ）は概略背面図、（ｂ）は概略側面図、図５はＬＥＤ照明器具の概略斜視図である。
【００２４】
図１において、ＬＥＤ照明器具１は、ＬＥＤモジュール２、放熱板３、器具本体４、シャーシ５および取付手段としての取付け金具６を有して構成されている。ＬＥＤ照明器具１は、造営物としての天井７に直付けされる直付型照明器具である。
【００２５】
ＬＥＤモジュール２は、発光ダイオード８および基板９を有して形成されている。発光ダイオード８は、ＬＥＤチップを有する面実装タイプの素子であり、可視光例えば白色光を放射するように形成されている。基板９は、例えば１ｍｍの厚さを有するアルミニウム（Ａｌ）板からなり、長方形に形成され、図示しない絶縁層を介して一方の面９ａ側の短手方向中央部に、その長手方向に亘って複数個の発光ダイオード８を所定の間隔で直線状に実装している。発光ダイオード８は、基板９に形成された図示しない配線パターンにより直列接続されている。
【００２６】
放熱板３は、比較的高い熱伝導率を有する金属例えばアルミニウム（Ａｌ）からなり、平面状に形成された長方形の底板部１０およびこの底板部１０の短幅方向の両端から拡開状に連設する一対の傾斜板部１１，１１を有している。底板部１０には、基板９の他方の面９ｂ側が取付けられている。すなわち、底板部１０は、基板９の他方の面９ｂ側を密接するようにして、基板９を図示しないネジにより取付けている。また、底板部１０は、図３（ｂ）または図５に示すように、長方形の長手方向に沿って例えば４個のＬＥＤモジュール２（基板９）を直線状に連続的に取付けている。すなわち、放熱板３には、ＬＥＤモジュール２が複数個取付けられている。
【００２７】
一対の傾斜板部１１，１１は、図１に示すように、底板部１０の短幅方向の両端からＬＥＤモジュール２の基板９を挟み互いに次第に拡開する傾斜面を有するように形成されている。そして、一対の傾斜板部１１，１１の内面１１ａ，１１ａは、例えば白色塗装されて反射面に形成されている。
【００２８】
器具本体４は、一対の長形の側板１２，１２と、この一対の側板１２，１２の長手方向の両端１２ｇ，１２ｈ（図３に示す。）にそれぞれ設けられた一対の端板１３，１３を有して構成されている。一対の側板１２，１２および一対の端板１３，１３は、例えば鋼板により形成されている。
【００２９】
一対の側板１２，１２は、一対の側板上部１２ａ，１２ａ、一対の側板下部１２ｂ，１２ｂおよび一対の側板上端部１２ｃ，１２ｃに形成されている。一対の側板上部１２ａ，１２ａは、一対の側板１２，１２の長形の短手方向の中間部（根元部）１２ｄ，１２ｄから短手方向の上端１２ｅ，１２ｅ側に向かって互いに次第に拡開する傾斜面に形成されている。そして、一対の側板上部１２ａ，１２ａには、一対の側板１２，１２の長形の長手方向の両端１２ｇ，１２ｈ（図３に示す。）側に、係止孔１５，１５がそれぞれ形成されている。この係止孔１５，１５は、それぞれ長方形に形成され、一対の側板１２，１２の互いに正対する位置に対を成すように設けられている。
【００３０】
一対の側板下部１２ｂ，１２ｂは、一対の側板１２，１２の長形の短手方向の中間部（根元部）１２ｄ，１２ｄから短手方向の下端（先端部）１２ｆ，１２ｆ側に向かって互いに次第に拡開する傾斜面に形成されている。そして、一対の側板下部１２ｂ，１２ｂは、それぞれの傾斜面が放熱板３の一対の傾斜板部１１，１１の傾斜面に隙間を形成して接近または近接するようにして略同じ傾斜角度で形成されている。
【００３１】
一対の側板上端部１２ｃ，１２ｃは、一対の側板上部１２ａ，１２ａにそれぞれ連設され、一対の側板１２，１２の長形の短手方向の上端１２ｅ，１２ｅ側に中間部（根元部）１２ｄ，１２ｄに対して起立する鉛直面に形成されている。
【００３２】
そして、一対の側板下部１２ｂ，１２ｂの下端１２ｆ，１２ｆ側は、一対の側板１２，１２の長形の長手方向に亘って、互いに向き合う突出部１４，１４に形成されている。突出部１４，１４は、一対の側板下部１２ｂ，１２ｂの下端１２ｆ，１２ｆの内面より５〜１５ｍｍ突出している。
【００３３】
一対の端板１３，１３は、それぞれ外形が一対の側板１２，１２の内面に沿う平板部１６，１６を有して形成され、一対の側板１２，１２の長手方向の両端１２ｇ，１２ｈの内面にそれぞれ設けられている。すなわち、一対の端板１３，１３の配設により、一対の側板１２，１２が所定の間隔で正対し、一対の側板１２，１２の短手方向の上端１２ｅ，１２ｅ間に開口としての上方開口１７を、同じく下端（先端部）１２ｆ，１２ｆ（突出部１４，１４）間に下方開口１８をそれぞれ有するように略筒状枠体を構成している。
【００３４】
一対の端板１３，１３は、図４に示すように、それぞれ側方端１３ａ，１３ａに平板部１６の平面に直交し、一対の側板１２，１２の各内面に密接または近接する補強片１９ａ〜１９ｄが平板部１６から突出して設けられている。また、上端１３ｂに補強片１９ｅが、下端１３ｃに補強片１９ｆがそれぞれ上記同様に突出形成されている。これらの補強片１９ａ〜１９ｆは、薄板の端板１３，１３の変形を防止する。
【００３５】
また、一対の補強片１９ａ，１９ａおよび一対の補強片１９ｄ，１９ｄは、一対の側板１２，１２を取付ける取付片となっている。すなわち、図１に示すように、一対の補強片１９ａ，１９ａは、一対の側板１２，１２の一対の側板上端部１２ｃ，１２ｃの内面に、側板上端部１２ｃとその先端側の折り返し部１２ｃａ（図２に示す。）とより共締めされている。また、一対の補強片１９ｄ，１９ｄは、一対の側板１２，１２の一対の側板下部１２ｂ，１２ｂの内面にリベット２０により取付けられている。一対の側板下部１２ｂ，１２ｂには、リベット２０を挿通させる図示しない孔が形成され、一対の補強片１９ｄ，１９ｄには、リベット２０を挿通させる孔２１（図４（ｂ）に示す。）が形成されている。
【００３６】
そして、一対の端板１３，１３は、その平板部１６，１６の外面が一対の側板１２，１２の長手方向の両端１２ｇ，１２ｈの端面からそれぞれ幾分例えば０．５〜１．０ｍｍ突出するようにして、一対の側板１２，１２を取付けている。こうして、一対の端板１３，１３は、一対の側板１２，１２の長手方向の一端１２ｇ，１２ｇ間および他端１２ｈ，１２ｈ間を閉塞している。これにより、器具本体４には、上方開口１７および下方開口１８が形成される。
【００３７】
一対の端板１３，１３が一対の側板１２，１２に取付けられて器具本体４が組み立てられると、放熱板３の一対の傾斜板部１１，１１と、一対の側板１２，１２の一対の側板下部１２ｂ，１２ｂとが接近し、一対の側板１２，１２の中間部１２ｄ，１２ｄの内面間の間隔Ｌ１は、放熱板３の底板部１０の短幅よりも小さくなる。平板部１６，１６は、こうした寸法条件を満たすように、その大きさが設定されている。
【００３８】
放熱板３は、例えば、一対の側板１２，１２の長手方向の一端側１２ｇ，１２ｇに一方の端板１３を取付けた後、他端側１２ｈ，１２ｈから一対の側板下部１１，１１間に挿入されて収容される。このとき、放熱板３の一対の傾斜板部１１，１１と、器具本体４の一対の突出部１４，１４との間に透光性カバー２２が挿入されて配設される。そして、一対の側板１２，１２の長手方向の他端側１２ｈ，１２ｈに他方の側板１３が取付けられる。
【００３９】
透光性カバー２２は、例えばアクリル樹脂からなり、長方形に形成されて、器具本体４の下方開口１８を略閉塞している。そして、放熱板３の底板部１０は、器具本体４の上方開口１７に露出している。また、ＬＥＤモジュール２の基板９は、一対の側板１２，１２の一対の側板下部１２ｂ，１２ｂ間に一対の側板１２，１２の長手方向に沿って配設されている。したがって、発光ダイオード８の放射光は、一対の側板１２，１２の長手方向に亘って下部開口１８から外部空間に出射される。
【００４０】
シャーシ５は、１枚の例えば鋼板からなり、長方形の平面部２３と、この平面部２３の短手方向の両端が平面部２３の長手方向に亘って平面部２３に対して直角に折り曲げられた一対の起立片２４，２４に形成されている。一対の起立片２４，２４は、シャーシ５を補強するために形成されている。平面部２３の背面２３ｂには、複数個の突部２５が形成されている。この突部２５は、天井面７ａとシャーシ５との間に隙間を形成して、シャーシ５に取付けられるネジ等が天井面７ａに干渉しないようにしている。
【００４１】
また、シャーシ５は、その短手方向の寸法が器具本体４の上方開口１７の短幅寸法よりも小さく、その長手方向の寸法が器具本体４の上方開口１７の長手寸法よりも小さくなるように形成されている。すなわち、シャーシ５は、その大きさが器具本体４の上方開口１７よりも小さく形成されている。
【００４２】
シャーシ５は、図示しないネジにより、その平面部２３が突部２５を介して造営物としての天井７の天井面７ａに取付けられている。平面部２３には、発光ダイオード８を点灯する点灯装置２６が配設されている。点灯装置２６は、図示しないネジにより、平面部２３の前面２３ａに取付けられている。また、平面部２３の前面２３ａには、図３（ａ）に示すように、電源端子２７が図示しないネジにより取付けられている。
【００４３】
点灯装置２６は、図示しない入力線を引き出しており、この入力線は、電源端子２７に接続されている。電源端子２７には、平面部２３および天井７にそれぞれ形成された図示しない孔を挿通して天井７の裏側から導入された電源線が接続されている。入力線および電源線は、電源端子２７において電気接続されている。
【００４４】
また、点灯装置２６は、図１に示すように、出力線２８を引き出しており、この出力線２８の先端には、雄コネクタ２９が取付けられている。各ＬＥＤモジュール２の基板９の他方の面９ｂには、中継端子３０がそれぞれ配設されている。放熱板３の底板部１０には、中継端子３０が挿通される図示しない孔が形成されている。中継端子３０は、基板９に形成されている配線パターンに電気接続している。そして、中継端子３０は、先端に雌コネクタ３１が取付けられたリード線３２を接続している。
【００４５】
出力線２８の雄コネクタ２９をリード線３２の雌コネクタ３１に接続することにより、点灯装置２６は、各ＬＥＤモジュール２の基板９において直列接続している発光ダイオード８の両端間に接続される。すなわち、点灯装置２６には、発光ダイオード８が直並列接続される。
【００４６】
点灯装置２６は、入力した交流電圧を直流電圧に変換して、定電流を発光ダイオード８に供給する周知回路を有して構成されている。発光ダイオード８は、点灯装置２６から供給される定電流が流れることにより点灯し、可視光例えば白色光を放射する。
【００４７】
取付手段としての取付け金具６は、器具本体４をシャーシ５に取付けるものであり、図３に示すように、シャーシ５の長手方向の両端側５ａ，５ｂにそれぞれ配設されている。そして、シャーシ５における当該配設位置は、器具本体４の一対の側板１２，１２の一対の側板上部１２ａ，１２ａに形成された係止孔１５，１５に対応して設けられている。
【００４８】
取付け金具６は、例えば５〜２０ｍｍの比較的幅小の１枚の金属板例えば鋼板を折り曲げて形成している。また、バネ性を有するように、例えば1〜２ｍｍの肉厚の金属板を用いて形成している。
【００４９】
取付け金具６は、図１に示すように、固定板３２、この固定板３２の両端に連設する一対の揺動板３３，３３およびこの一対の揺動板３３，３３にそれぞれ連設する一対の係合板３４，３４に形成されている。固定板３２は、平面状であり、複数個のネジ３５およびナット３６によりシャーシ５の平面部２３の前面２３ａに取付けられている。一対の揺動板３３，３３は、固定板３２から遠ざかるにつれ互いに次第に拡開するように形成されている。
【００５０】
一対の係合板３４，３４は、図２に示すように、それぞれ固定板３２と略平行となる方向であって、互いに遠ざかる反対側に突出する係合部３４ａおよびこの係合部３４ａから上側にカールされて互いに近づく方向に折り返された折り返し部３４ｂに形成されている。折り返し部３４ｂは、先端側が自由端であり、係合部３４ａとの隙間が伸縮するバネ性を有している。また、一対の揺動板３３，３３は、固定板３２の両端をそれぞれ支点として一対の揺動板３３，３３を結ぶ方向であって互いに近づく方向に振れるとともに弾性復帰するバネ性を有している。
【００５１】
そして、一対の係合板３４，３４は、図１に示すように、一対の側板１２，１２の一対の側板上部１２ａ，１２ａに形成された係止孔１５，１５に、一対の揺動板３３，３３の弾性復帰力によりそれぞれ挿入されるものである。一対の係合板３４，３４は、係止孔１５，１５に挿入されると、その係合部３４ａ，３４ａおよび折り返し部３４ｂ，３４ｂが一対の側板上部１２ａ，１２ａのそれぞれの外面から外方に突出し、係止孔１５，１５の縁部または内壁面により挟持される。そして、その反作用によって、係合部３４ａおよび折り返し部３４ｂが係止孔１５の縁部または内壁面に当接することにより、取付け金具６は、器具本体４を支持してシャーシ５に取付ける。
【００５２】
そして、取付け金具６が器具本体４をシャーシ５に取付けている状態で、一対の側板１２，１２の一対の側板上端部１２ｃ，１２ｃのそれぞれの上端縁および一対の端板１３，１３の上端１３ａ，１３ａのそれぞれの上端縁と、天井面７ａとの間に隙間３７が形成されるように、一対の揺動板３３，３３の全長が設定されている。隙間３７は、器具本体４の上方開口１７および内側と、器具本体４の外部空間とを連通させる。
【００５３】
器具本体４をシャーシ５に取付けるときには、一対の係合板３４，３４が一対の側板１２，１２の一対の側板上端部１２ｃ，１２ｃの内面にそれぞれ当接される。このとき、前もって雄コネクタ２９と雌コネクタ３１を接続する。そして、一対の揺動板３３，３３および一対の係合板３４，３４がそれぞれ互いに近づくように、一対の係合板３４，３４を押圧する。例えば手で一対の係合板３４，３４を掴んで、一対の係合板３４，３４に力を加える。一対の係合板３４，３４が一対の側板上端部１２ｃ，１２ｃの内面に当接すると、一対の揺動板３３，３３は、固定板３２を支点として、一対の揺動板３３，３３を結ぶ方向で互いに近づくように振れる。
【００５４】
そして、一対の係合板３４，３４は、器具本体４がシャーシ５に近づくように移動されるにしたがい、器具本体４の下方開口１８側に器具本体４を摺動しながら移動し、一対の側板上端部１２ｃ，１２ｃの内面から一対の傾斜上部１２ａ，１２ａの内面に当接する。そして、一対の傾斜上部１２ａ，１２ａに形成された係止孔１５，１５に達すると、一対の揺動板３３，３３の弾性復帰力により、一対の係合板３４，３４が係止孔１５，１５に挿入する。こうして、器具本体４は、取付け金具６によってシャーシ５に取付けられる。
【００５５】
逆に、器具本体４をシャーシ５から取外すときには、器具本体４を支えながら一対の係合板３４，３４を一対の傾斜上部１２ａ，１２ａの内側に押し込み、当該内面に当接させる。そして、器具本体４をシャーシ５から遠ざけるように移動させると、一対の係合板３４，３４は、やがて器具本体４の上方開口１７から開放される。これにより、器具本体４は、シャーシ５から取外れる。
【００５６】
次に、本発明の実施例１の作用について述べる。
【００５７】
放熱板３および透光性カバー２２は、一対の側板１２，１２の一対の側板下部１２ｂ，１２ｂ間および一対の端板１３，１３間に配設されている。
【００５８】
そして、放熱板３および透光性カバー２２は、一対の側板１２，１２の長手方向側へ移動しようとすると、一方または他方の端板１３の平板部１６に当接して位置規制される。
【００５９】
また、放熱板３および透光性カバー２２は、一対の側板下部１２ｂ，１２ｂの根元部（中間部）１２ｄ側（器具本体４の上方開口１７側）および先端部（下端）１２ｆ（下方開口１８側）への移動が規制される。すなわち、根元部１２ｄ側へ移動しようとすると、一対の側板１２，１２の根元部１２ｄ，１２ｄの内面の間隔Ｌ１が放熱板３の底板部１０の短幅よりも小さいので、放熱板３の底板部１０が前記根元部１２ｄ，１２ｄの内面に達する前に一対の側板下部１２ｂ，１２ｂのそれぞれの内面に当接する。また、先端部１２ｆ側への移動は、透光性カバー２２が一対の突出部１４，１４に当接していることにより阻止される。
【００６０】
このように、ＬＥＤモジュール２を取付けた放熱板３は、一対の側板１２，１２の一対の側板下部１２ｂ，１２ｂ間での移動が規制されるので、放熱板３をネジ等の取付け部材を用いて器具本体４に固定する必要がなく、組立工数の低減および省力化を図ることができる。この結果、ＬＥＤ照明器具１を安価に形成することができる。
【００６１】
また、透光性カバー２２は、一対の側板１２，１２の突出部１４，１４および放熱板３の一対の傾斜板部１１，１１の先端との間に配設されているので、放熱板３と同様に、透光性カバー２２を器具本体４に固定しなくすることができて、ＬＥＤ照明器具１の組み立ての省力化を図ることができる。これにより、ＬＥＤ照明器具１を安価に形成することができる。
【００６２】
また、透光性カバー２２が配設されていることにより、ＬＥＤモジュール２が器具本体４の外部空間に露出しなくなるので、器具本体４をシャーシ５に取付けるときに、人が発光ダイオード８に誤って触れることを防止することができる。
【産業上の利用可能性】
【００６３】
本発明は、天井等の造営物に直付けされる照明器具に用いることができる。
【符号の説明】
【００６４】
１…ＬＥＤ照明器具、  ２…ＬＥＤモジュール、  ３…放熱板、  ４…器具本体、  ５…シャーシ、  ６…取付手段としての取付け金具、  ８…発光ダイオード、  ９…基板、  １０…底板部、  １１，１１…一対の傾斜板部、  １２，１２…一対の側板、  １２ｂ，１２ｂ…一対の側板下部、  １３，１３…一対の端板、  １４，１４…突出部、  ２２…透光性カバー
【図１】
2011187315.tif 000003
【図２】
2011187315.tif 000004
【図３】
2011187315.tif 000005
【図４】
2011187315.tif 000006
【図５】
2011187315.tif 000007